(57)【要約】【課題】遊技媒体貸出機の扉開閉構造における部品の耐久性を向上させると共に、遊技媒体貸出機を扱う作業員の作業を快適にする。【解決手段】遊技媒体貸出機の金庫ユニット１１０は、前方に開口している枠部１１２と、枠部１１２の前方に配置されている金庫扉１１１と、枠部１１２に対して金庫扉１１１を回動自在に連結するヒンジ部１と、を備える。ヒンジ部１は、金庫扉１１１を開状態にする方向へ付勢する付勢部材と、金庫扉１１１の開状態への移動を抑制するダンパ部材と、を備える。付勢部材およびダンパ部材は、ヒンジ部１の回動軸上に配置されている。【選択図】図１
2018015031.tif 000002
【特許請求の範囲】
【請求項１】
遊技媒体貸出機の扉開閉構造であって、
前方に開口している枠部と、
前記枠部の前方に配置されている扉と、
前記枠部に対して前記扉を回動自在に連結するヒンジ部と、を備え、
前記ヒンジ部は、
前記扉を開状態にする方向へ付勢する付勢部材と、
前記扉の開動作時の速度を抑制するダンパ部材と、を備える、
ことを特徴とする遊技媒体貸出機の扉開閉構造。
【請求項２】
筐体の扉開閉構造であって、
前記筐体の前方に開口している枠部と、
前記枠部の前方に配置されている扉と、
前記枠部に対して前記扉を回動自在に連結するヒンジ部と、を備え、
前記ヒンジ部は、
前記扉を開状態にする方向へ付勢する付勢部材と、
前記扉の開動作時の速度を抑制するダンパ部材と、を備える、
ことを特徴とする筐体の扉開閉構造。
【請求項３】
前記枠部に対する前記扉の施錠及び解錠を行う錠前を備え、
前記錠前の解錠により前記扉が開動作を開始する
ことを特徴とする請求項１又は２に記載の扉開閉構造。
【請求項４】
前記錠前は、リモコン操作により前記枠部に対する前記扉の解錠を行う
ことを特徴とする請求項３に記載の扉開閉構造。
【請求項５】
前記付勢部材および前記ダンパ部材は、前記ヒンジ部の回動軸上に配置されている、
ことを特徴とする請求項１乃至４のいずれか１項に記載の扉開閉構造。
【請求項６】
前記ヒンジ部は、前記付勢部材および前記ダンパ部材を覆うカバー部材、を備える、
ことを特徴とする請求項１乃至５のいずれか１項に記載の扉開閉構造。
【発明の詳細な説明】
【技術分野】
【０００１】
本発明は、遊技機に隣接して配置される遊技媒体貸出機の技術に関する。
【背景技術】
【０００２】
特許文献１のメダル貸出機（遊技媒体貸出機に対応）には、「付加価値媒体が投入されたことに応答して、前記付加価値媒体に相当する枚数のメダルを、内部に設けられたホッパー装置の駆動によりノズルを介して払い出すメダル貸出機において、前記ホッパー装置の上部に設けられ、前記メダルをホッパー装置へと供給するためのメダル供給箱に、メダル補給用の補給扉を設けた」こと、および、「前記メダル供給箱の前面上部には、メダル補給用の開口が設けられているとともに、前記補給扉は前記開口を遮蔽する遮蔽位置と、前記開口を露呈し、メダルの補給を可能とするメダル補給位置との間で回動自在に取り付けられる」ことが開示されている。また、特許文献１には、補給扉を回動自在に取り付けるためにヒンジを用いていることが開示されている。特許文献１の上記特徴は、メダル貸出機のメダル供給箱に限らず、遊技媒体貸出機の他のユニット、例えば、紙幣の投入を受け入れる金庫ユニットに導入することもできる。
【先行技術文献】
【特許文献】
【０００３】
【特許文献１】特開２００３−２６０２５６号公報
【発明の概要】
【発明が解決しようとする課題】
【０００４】
特許文献１に示すような補給扉の開閉機構では、補給扉は、補給扉が備える係止片がメダル供給箱の本体が備える係止突起に係止するまで回動して閉位置に保持される。遊技媒体貸出機のなかには、例えばリモコン操作によって扉の開閉を自動で行うものが多い。ここで、特許文献１の技術によれば、補給扉を自動で開けようとする場合、補給扉が所定の勢いを以って開くため、係止片が係止突起に係止したときの衝撃や衝突音が相当大きい。このような衝撃及び衝突音は、衝撃を受ける部品の耐久性の低下や破損を伴ったり、メダルを補給しようとする作業員を不快にさせてしまうという不都合を招く。また、遊技媒体貸出機の金庫ユニットについても同様に、金庫ユニットの金庫扉を自動で開けようとする場合、金庫扉が所定の勢いを以って開くため、金庫扉が閉位置に係止するときの衝撃や衝突音が相当大きい場合がある。
【０００５】
そこで、本発明は、このような事情に鑑みてなされたものであり、遊技媒体貸出機又は筐体の扉開閉構造における部品の耐久性を向上させると共に、遊技媒体貸出機を扱う作業員の作業を快適にすることを課題とする。
【課題を解決するための手段】
【０００６】
前記目的を達成する本発明は、
遊技媒体貸出機又は筐体の扉開閉構造であって、
前方に開口している枠部と、
前記枠部の前方に配置されている扉と、
前記枠部に対して前記扉を回動自在に連結するヒンジ部と、を備え、
前記ヒンジ部は、
前記扉を開状態にする方向へ付勢する付勢部材と、
前記扉の開状態への移動を抑制するダンパ部材と、を備える、
ことを特徴とする。
詳細は後記する。
【発明の効果】
【０００７】
本発明によれば、遊技媒体貸出機又は筐体の扉開閉構造における部品の破損を抑制して耐久性を向上させることができる。また、遊技媒体貸出機を扱う作業員の紙幣回収作業を快適にすることができる。
【図面の簡単な説明】
【０００８】
【図１】本実施形態の遊技媒体貸出機の正面図である。
【図２】金庫ユニットの金庫扉の、（ａ）閉状態、（ｂ）開状態を示す斜視図である。
【図３】ヒンジ部の、（ａ）閉状態、（ｂ）開状態を示す斜視図である。
【発明を実施するための形態】
【０００９】
以下、本発明の実施形態について、図面を参照しながら説明する。説明の際、遊技媒体貸出機の正面に向かう方向を「前」とし、他の方向は、各図に従う。
【００１０】
≪全体構成≫
図１に示すように、本実施形態の遊技媒体貸出機１００は、メダルを用いて遊技を行う遊技機（図示せず）に隣接して配置される。遊技媒体貸出機１００は、上から順に、金庫ユニット１１０と、制御ユニット１２０と、メダル補充ユニット１３０と、払出・計数ユニット１４０とを備える。
【００１１】
金庫ユニット１１０は、遊技者が投入した貨幣を収納する。金庫ユニット１１０は、金庫扉１１１と、筐体の枠部１１２（図２参照）とを備える。枠部１１２は、遊技媒体貸出機１００の筺体上部を構成する。枠部１１２は、前方に開口を有しており、貨幣識別装置（図示せず）を前方から収容する。貨幣識別装置は遊技者が投入する貨幣を識別する装置である。
【００１２】
金庫扉１１１は、枠部１１２の前方に配置されており、枠部１１２の前方を塞ぐことができる。金庫扉１１１には、貨幣投入口１１１ａと、錠前部１１１ｂと、発光部１１１ｃ〜１１１ｅとが具備されている。貨幣投入口１１１ａは、遊技者によって投入される貨幣の投入口である。錠前部１１１ｂは、金庫扉１１１を開けるための専用鍵の挿し込み口である。発光部１１１ｃ〜１１１ｅは、金庫ユニット１１０による貨幣の入金状況、遊技媒体の状態、遊技媒体貸出機１００の状態表示等を報知するための発光を行う。また例えば、発光部１１１ｃ〜１１１ｅは、金庫ユニット１１０に対する不正行為の検知状態などを報知することもできる。
【００１３】
制御ユニット１２０は、遊技媒体貸出機１００の各種制御を行う。制御ユニット１２０は、制御ユニット１２０の前面には、カメラ１２０ａと、カード挿入口１２０ｂと、貸出ボタン１２０ｃと、液晶パネル１２０ｄとが具備されている。カメラ１２０ａは、遊技者の顔を撮影する。制御ユニット１２０は、撮影した顔の画像を用いて顔認証を行うことができる。また、カメラ１２０ａは、遊技者が所持するスマートフォンが表示するコードを撮影する。制御ユニット１２０は、撮影したコードを読み取って、所定の情報処理を行うことができる。カード挿入口１２０ｂは、遊技者の情報が記憶されたカードの挿入口である。貸出ボタン１２０ｃは、押下すると、遊技者が投入した貨幣に応じたメダルを払い出すボタンである。液晶パネル１２０ｄは、タッチパネル式のモニタであり、遊技者の遊技状況（例：払い出しメダル枚数、獲得メダル枚数、メダル切れ状態）を表示することができる。液晶パネル１２０ｄは、幅方向中央を通過する軸周りに回転可能に保持されており、画面の角度を所定の角度に設定することができる。
【００１４】
メダル補充ユニット１３０は、遊技媒体貸出機１００内部の払い出しホッパ（図示せず）にメダルを補充するためのユニットである。払い出しホッパは、所定枚数のメダルを遊技者に払い出すホッパである。メダル補充ユニット１３０は、正面扉１３１を備える。正面扉１３１は、メダル補充ユニット１３０の前方開口部（図示せず）を塞いでいる。メダル補充ユニット１３０は、払い出しホッパに連通する中空部（図示せず）を備える。
【００１５】
払出・計数ユニット１４０は、遊技者へのメダルの払い出し、および、遊技者からのメダルの計数を受け付けるユニットである。払出・計数ユニット１４０の内部には、払い出しホッパ（図示せず）と、計数ホッパ（図示せず）が配置されている。計数ホッパは、遊技者から投入されたメダルを計数するホッパである。
【００１６】
払出・計数ユニット１４０の前面にはメダル受皿部１４０ａと、ノズル１４０ｂとが具備されている。メダル受皿部１４０ａは、遊技者から投入される計数用のメダルを受け付ける。メダル受皿部１４０ａに投入されたメダルは、計数ホッパに案内される。ノズル１４０ｂは、払い出しホッパが払い出した所定枚数のメダルを遊技者に案内する。
【００１７】
≪金庫ユニット１１０の構成≫
図２（ａ），（ｂ）に示すように、金庫ユニット１１０は、ヒンジ部１をさらに備える。ヒンジ部１は、枠部１１２に対して、金庫扉１１１を回動自在に連結する。ヒンジ部１の回動軸は、左右方向に延在する。金庫扉１１１は、ヒンジ部１によって、枠部１１２の前方を塞ぐ閉状態（図２（ａ））と、枠部１１２の前方を開放する開状態（図２（ｂ））と、の２種類の姿勢をとることができる。
【００１８】
金庫扉１１１は、ロックタング１１１ｆを備える。ロックタング１１１ｆは、金庫扉１１１の背面に配置されている。ロックタング１１１ｆは、枠部１１２の内部に配置されている施錠用可動部材と係合可能であり、金庫扉１１１を施錠状態または解錠状態のいずれかに規制する（詳細は後記）。
【００１９】
ヒンジ部１は、閉状態の金庫扉１１１の下端部、かつ、枠部１１２の前下端部に配置されている。ヒンジ部１の軸方向は枠部１１２の幅方向である。図３（ａ），（ｂ）に示すように、ヒンジ部１は、可動部材１１と、固定部材１２と、ダンパ部材１３と、開きばね１４（付勢部材）と、シャフト１５，１５と、カバー部材１６とを備える。
【００２０】
可動部材１１は、ヒンジ部１を構成する２つの金属体の１つである。可動部材１１は、取付板１１ａと、軸支片１１ｂ，１１ｂとを有する。取付板１１ａは、ネジ等で金庫扉１１１に取り付け固定される矩形状の金属板である。軸支片１１ｂ，１１ｂは、可動部材１１の回動軸方向端部から立設する金属片である。軸支片１１ｂ，１１ｂには、シャフト１５，１５が貫通する軸受孔１１ｂ１，１１ｂ１が設けられている。
【００２１】
固定部材１２は、ヒンジ部１を構成する２つの金属体の１つである。固定部材１２は、取付板１２ａと、支軸片１２ｂ，１２ｂとを有する。取付板１２ａは、ネジ等で枠部１１２に取り付け固定される矩形状の金属板である。支軸片１２ｂ，１２ｂは、枠部１１２の回動軸方向端部から立設する金属片である。支軸片１２ｂ，１２ｂには、シャフト１５，１５を加締め等により固定する固定孔１２ｂ１，１２ｂ１が設けられている。
図３（ｂ）に示すように開状態では、可動部材１１の取付板１１ａが、固定部材１２の取付板１２ａに当接する。この当接によって、金庫扉１１１の開動作が停止する。
【００２２】
ダンパ部材１３は、金庫扉１１１の開動作時の速度を抑制する。ダンパ部材１３は、例えば略円柱状体を呈しており、この略円柱状体の中心軸は、ヒンジ部１の回動軸に一致する。つまり、ダンパ部材１３は、ヒンジ部１の回動軸上に配置されている。ダンパ部材１３は、金庫扉１１１の開速度を制御する流体ダンパであってもよいし、金庫扉１１１の開動作に抵抗を与えるフリクションダンパであってもよい。
【００２３】
開きばね１４は、金庫扉１１１を開状態にする方向へ付勢する。開きばね１４は、例えば、ヘアピンばね、トーションばね、その他の付勢部材であり、略螺旋状巻回部を有している。この略螺旋状巻回部の中心軸は、ヒンジ部１の回動軸に一致させることができる。開きばね１４の巻回部は、延長したシャフト１５に挿入して組み付ける構成を用いることができる。開きばね１４の両端には、ヘアピン１４ａ，１４ｂが形成されている。ヘアピン１４ａは、可動部材１１の取付板１１ａに当接しており、ヘアピン１４ｂは、固定部材１２の取付板１２ａに当接している。ヘアピン１４ａは、取付板１１ａを開状態の方向に常時押圧している。
【００２４】
シャフト１５，１５は、ヒンジ部１の回動軸を構成する円柱状体である。図３（ａ）に示すように、シャフト１５，１５の各々は、互いに隣り合う軸支片１１ｂの軸受孔１１ｂ１および支軸片１２ｂの固定孔１２ｂ１に貫通している。
【００２５】
カバー部材１６は、ダンパ部材１３および開きばね１４を覆う。図３（ｂ）に示すように、カバー部材１６は、ヒンジ部１の回動軸の外周を構成するが、可動部材１１の動きを阻害しない形状を呈している。カバー部材１６は、ネジ等で、固定部材１２と共締めされている。カバー部材１６は、金庫ユニット１１０の内外への貨幣識別装置の出し入れに対して、ダンパ部材１３および開きばね１４を保護することができる。
【００２６】
≪作用≫
次に、本実施形態の扉開閉構造による作用として、金庫ユニット１１０の金庫扉１１１の開動作について説明する。作業員は、例えば、営業時間終了後に、金庫ユニット１１０内に蓄えられた貨幣を回収するために金庫扉１１１を開けようとする。金庫扉１１１が閉状態であるときは、ロックタング１１１ｆが枠部１１２の内部に配置されている施錠用可動部材に係合している。作業員は、専用鍵を錠前部１１１ｂに挿し込み所定方向へ回して解錠する、または、作業員がリモコンの解錠操作のボタンを押す、のいずれかを行う。すると、枠部１１２の内部に配置されている施錠用可動部材が変位する。そしてロックタング１１１ｆと施錠用可動部材との係合が解除され、枠部１１２に対する金庫扉１１１の開き動作が開始される。作業員のリモコン操作（無線又は赤外線通信等による遠隔操作）により解錠を行う場合には、リモコン信号を受信してソレノイド等のアクチュエータを作動させることにより、施錠用可動部材を変位させて解錠を行うことができる。また、専用鍵を用いて解錠を行う構成と、リモコン操作による解錠を行う構成とを併用することもできる。
【００２７】
先述したとおり、開きばね１４のヘアピン１４ａは、取付板１１ａを開状態の方向に常時押圧している。よって、開きばね１４の付勢によって、可動部材１１は、開状態の方向へ変位し始める。また、可動部材１１が取り付けられている金庫扉１１１は、ヒンジ部１の軸周りに開状態の方向へ変位し始める。なお、開きばね１４の付勢力は、閉状態の場合が最大になっているので、金庫扉１１１の開状態への変位開始が即時且つ円滑に行われる。また、図１または図２には示していないが、金庫ユニット１１０は、ロックタング１１１ｆと施錠用可動部材との係合が解除されると同時に、金庫扉１１１の所定の箇所を前方へ押し出す押出部材を備えてもよい。
【００２８】
開状態の方向へ変位し始めた金庫扉１１１は、金庫扉１１１の自重によって、開状態の方向へさらに変位する。また、金庫扉１１１の変位に応じて、ヒンジ部１のダンパ部材１３が作用し、金庫扉１１１の開速度を抑制する。その結果、金庫扉１１１は、所定の時間をかけて開速度が制限された状態で開き、開状態（図２（ｂ）参照）に到達する。
【００２９】
作業員は、金庫ユニット１１０の貨幣識別装置（図示せず）から貨幣を回収する。なお、貨幣識別装置を金庫ユニット１１０から取り出す場合には、取り出された貨幣識別装置の下面がヒンジ部１のカバー部材１６に接触する場合があるが、カバー部材１６は、ダンパ部材１３および開きばね１４を保護する。その結果、ヒンジ部１の耐久性を向上させることができる。
【００３０】
≪まとめ≫
本実施形態の扉開閉構造によれば、金庫ユニット１１０の金庫扉１１１は、開動作の開始直後は開きばね１４の付勢によって開状態の方向へ確実に変位することができる。また、金庫扉１１１は、ダンパ部材１３の作用によって、所定の時間をかけて開速度が制限された状態で開くため、金庫扉１１１が開いたときの衝撃及び衝突音を極めて小さくすることができる。作業員は、このような衝突音をほとんど気にすることは無く、紙幣回収作業を快適にすることができる。
また、図３（ａ），（ｂ）に示すように、ダンパ部材１３および開きばね１４は、ヒンジ部１の内部にコンパクトに具備されているので、金庫扉１１１の開動作におけるダンパ部材１３および開きばね１４の作用は、外部からの影響を受けず確実に発揮される。従来は、所定のダンパ機構が、遊技媒体貸出機を構成するユニットの扉が備えるヒンジ部の外側に配置される構成や、歯車を介して開速度制限する構成をとっていた。このような構成では、例えば、遊技媒体貸出機に隣接する遊技機が遊技媒体貸出機を押圧し、ダンパ機構が定位置からずれてしまう場合があった。その結果、ダンパ機構が本来の動作ができなかったり、金庫扉１１１の開動作が円滑に行われなかったりする不都合が生じていた。本発明のヒンジ部１によれば、このような不都合は生じ難い。また、ヒンジ部１及び金庫扉１１１の組み立ても容易となる。
【００３１】
また、ダンパ部材１３および開きばね１４を、ヒンジ部１の回動軸上に配置することで、ヒンジ部１自体を小型化することができる。よって、金庫ユニット１１０にヒンジ部１を取り付ける際の省スペース化を図ることができる。
【００３２】
また、ヒンジ部１を覆うカバー部材１６を備えることで、金庫ユニット１１０の内外への貨幣識別装置の出し入れに対して、ダンパ部材１３および開きばね１４を保護することができる。
【００３３】
≪変形例≫
本発明は、上記実施形態に限定されることなく、本発明の趣旨を逸脱しない範囲で、変更実施が可能であり、例えば、以下の（ａ）〜（ｃ）がある。
【００３４】
（ａ）本実施形態では、図３（ａ），（ｂ）に示すように、ダンパ部材１３および開きばね１４は、ヒンジ部１の回動軸上に配置されている。しかし、ダンパ部材１３および開きばね１４は、ヒンジ部１の回動軸から離間した位置に配置されていてもよい。
（ｂ）本実施形態では、図３（ａ），（ｂ）に示すように、固定部材１２の取付板１２ａの回動軸方向寸法が、可動部材１１の取付板１１ａの回動軸方向寸法よりも大きく、固定部材１２と可動部材１１とは互いに形状の異なるものを用いたが、固定部材１２と可動部材１１との形状を同一にしてもよい。この場合、固定部材１２に対して可動部材１１を、（ダンパ部材１３および開きばね１４の寸法を考慮して）ヒンジ部１の軸方向に所定量だけずらして配置すればよい。固定部材１２と可動部材１１とで形状を同一にすることで、ヒンジ部１構成する部品点数の種類を減らし、ヒンジ部１の製造を容易にしたり、製造コストを削減したりすることができる。
（ｃ）本実施形態では、扉開閉構造を、金庫ユニットに配置されている金庫扉に適用した実施形態について説明したが、本発明は金庫扉に限定するものではなく、メダル補充ユニット１３０の正面扉１３１、メダル貸機、玉貸機、遊技場で使用されるプリンター、玉計数機、メダル計数機、ＩＣカード清算販売機、遊技媒体の補給機、遊技媒体の回収機、その他の装置筐体の扉にも適用することが可能である。
【００３５】
本実施形態で説明した技術を組み合わせた技術を実現できる。
その他、本発明の装置を構成する部材の形状、配置などは、適宜変更できる。
【符号の説明】
【００３６】
１      ヒンジ部
１１    可動部材
１２    固定部材
１３    ダンパ部材
１４    開きばね（付勢部材）
１５，１５  シャフト
１６    カバー部材
１００  遊技媒体貸出機
１１０  金庫ユニット
１１１  金庫扉
１１２  枠部
【図１】
2018015031.tif 000003
【図２】
2018015031.tif 000004
【図３】
2018015031.tif 000005